(57)【要約】【課題】画像にアーチファクトが発生した場合に、撮影中にアーチファクトを検知し、検知した時点で自動的に再度計測を行い画像を取得することにより、データ取得時間を短縮することができる磁気共鳴イメージング装置を実現する。【解決手段】エコーデータ１、２、３・・・の順に、２５６番目のエコーデータまで取得され、対応するデータ空間の順に２５６番目のデータ空間まで中心（低周波数領域）から順に配置される。各エコーデータが取得されたらデータ空間の中心から配置され再構成処理が行われ、その都度、アーチファクトの発生有無の確認処理が行われる。時点３０２にでアーチファクトが発生すると、このアーチファクトの発生が判明した時点で自動的に撮影が中止され、新たな撮影が開始される。このような方法によって全てのデータが取得された後に最初からデータ取得を再開する従来技術に比較して撮影時間を短縮することができる。【選択図】      図３
2007061545.tif 000002
【特許請求の範囲】
【請求項１】
静磁場発生手段と、傾斜磁場発生手段と、高周波磁場発生手段と、データ取得シーケンスに従って被検体からのエコー信号を検出する検出手段と、このエコー信号検出手段により検出されたエコー信号に基づき、上記被検体の画像を再構成する信号処理手段とを備える磁気共鳴イメージング装置において、
上記信号処理手段は、
上記エコー信号検出手段により、エコー信号が検出される毎に、検出されたエコー信号に基づいて、被検体の画像を再構成し、再構成された画像に基づいてアーチファクトが発生しているか否かを判断し、アーチファクトが発生している場合は、上記データ取得シーケンスを中止し、このデータ取得シーケンスの最初から再度実行することを特徴とする磁気共鳴イメージング装置。
【請求項２】
静磁場発生手段と、傾斜磁場発生手段と、高周波磁場発生手段と、データ取得シーケンスに従って被検体からのエコー信号を検出する検出手段と、このエコー信号検出手段により検出されたエコー信号に基づき、上記被検体の画像を再構成する信号処理手段とを備える磁気共鳴イメージング装置において、
上記信号処理手段は、
被検体の心拍動を検出し心周期毎に、上記エコー信号検出手段により検出されたエコー信号に基づいて、被検体の画像を再構成し、再構成された画像に基づいてアーチファクトが発生しているか否かを判断し、アーチファクトが発生している場合は、アーチファクトが発生したエコー信号について、データ取得シーケンスを再度実行してエコー信号を取得することを特徴とする磁気共鳴イメージング装置。
【請求項３】
請求項２記載の磁気共鳴イメージング装置において、再構成された画像にアーチファクトが発生している場合は、再構成された画像のうち、アーチファクトが発生していなかった心周期に従って心脈動の閾値を算出し、算出した閾値を満たしていなかった心脈動時に取得したエコー信号について、データ取得シーケンスを再度実行してエコー信号を取得することを特徴とする磁気共鳴イメージング装置。
【請求項４】
請求項２記載の磁気共鳴イメージング装置において、再構成された画像の表示部分と、被検体の心拍動の最大値及び最小値の設定表示部分と、画像再構成指示部分と、計測再開指示部分とを有する画面の表示手段を備え、
再構成された画像にアーチファクトが発生している場合は、アーチファクトが発生した再構成画像が上記画像表示部分に表示され、上記設定表示部分から操作者により被検体の心拍動の最大値及び最小値が設定され、画像再構成指示部分により画像再構成が指示されると、既に取得されたエコー信号のうち、上記設定された心拍動の最大値及び最小値の範囲に入る心拍動におけるエコー信号のみにより画像が再構成されて上記画像表示部分に表示され、操作者により計測再開指示部分から計測再開が指示されることにより、アーチファクトが発生したエコー信号について、データ取得シーケンスを再度実行してエコー信号を取得することを特徴とする磁気共鳴イメージング装置。
【請求項５】
請求項２記載の磁気共鳴イメージング装置において、上記信号処理手段は、エコー検出手段により検出されたエコー信号に基づいて、上記心周期毎に、被検体の呼吸動による変位を検出し、被検体の呼吸動による変位が所定範囲内に無い場合には、その心周期内に検出されたエコー信号について、データ取得シーケンスを再度実行してエコー信号を取得することを特徴とする磁気共鳴イメージング装置。
【請求項６】
請求項５記載の磁気共鳴イメージング装置において、再構成された画像の表示部分と、被検体の呼吸動を示す画像表示部分と、被検体の呼吸動の変位幅の設定表示部分と、画像再構成指示部分と、計測再開指示部分とを有する画面の表示手段を備え、
再構成された画像でのアーチファクトの発生を抑制するため、計測が一時停止され、被検体の呼吸動を示す画像が上記画像表示部分に表示され、上記設定表示部分から操作者により被検体の呼吸動の変位幅が変更され、画像再構成指示部分により画像再構成が指示されると、既に取得されたエコー信号のうち、上記変更された変位幅に入っていたときのエコー信号のみにより画像が再構成され、上記画像表示部分に表示され、操作者により計測再開指示部分から計測再開が指示されることにより、データ取得シーケンスが再開されることを特徴とする磁気共鳴イメージング装置。
【発明の詳細な説明】
【技術分野】
【０００１】
本発明は、被検体中の水素や燐等からの核磁気共鳴信号を測定し、核の密度分布や緩和時間分布等を映像化する磁気共鳴イメージング装置に関する。
【背景技術】
【０００２】
現在、磁気共鳴イメージング装置（ＭＲＩ装置）の撮影対象は、臨床で普及しているものとしては、被検体の主たる構成物質、プロトンである。プロトン密度の空間分布や、励起状態の緩和現象の空間分布を画像化することで、人体頭部、腹部、四肢等の形態または、機能を２次元若しくは３次元的に撮影する。
【０００３】
次に、撮影方法を説明する。傾斜磁場により異なる位相エンコードを与え、それぞれの位相エンコードで得られるエコー信号を検出する。位相エンコードの数は通常１枚の画像あたり１２８、２５６、５１２等の値が選ばれる。各エコー信号は通常１２８、２５６、５１２、１０２４個のサンプリングデータからなる時系列信号として得られる。
【０００４】
これらのデータを２次元フーリエ変換して１枚のＭＲ画像を作成する。上記のように画像を作成する場合、位相エンコード数が２５６であれば、２５６ライン全てを取得完了してから画像再構成を行い表示する。
【０００５】
ここで、患者の手術中に手術部位等を確認しつつ、手術、治療を進める手法として、ＩＶＲ（Interventional Radiology）が知られている。このＩＶＲにおいて、患者の組織の情報やカテーテルの位置等をＭＲＩ装置を用いて、リアルタイムで得る技術が特許文献１に記載されている。
【０００６】
この特許文献１に記載された技術は、１つの計測開始から終了前の任意の時点までに計測されたデータを用いて画像再構成処理し、オペレータが手術中等の任意の時点（全データ取得完了前）で、カテーテル先端の位置等をリアルタイムで表示可能な技術である。
【０００７】
【特許文献１】特開平１１−３４７０１１号公報
【発明の開示】
【発明が解決しようとする課題】
【０００８】
しかしながら、従来技術においては、操作者が画像の確認ができるのは、完全に撮影が終了した後であり、もし結果画像が目的の画像と異なる場合には、撮影完了後に画像を確認し、再度撮影を行うこととなる。
【０００９】
例えば、撮影断面の設定が適切ではなく、目的とする部位が撮影スライスから外れている場合や、撮影パラメータの設定が適切ではなく、目的とするコントラストの画像が得られていない場合等には、再度撮影を行なわねばならない。
【００１０】
上記特許文献１に記載の技術にあっては、撮影目的とする部位が撮影スライスと一致していることを前提として、カテーテルの先端等の位置をリアルタイムで表示可能であるが、目的部位の計測途中に体動アーチファクトが生じた場合には、適切な画像を得ることができず、撮影完了後に、再度撮影を行わなければならない。
【００１１】
また、近年の心臓撮影技術の向上に伴い、全心臓を１回で撮影するWhole Heart撮影が行われつつある（Whole Heart Steady-State Free Precession Coronary Artery Magnetic Resonance Angiography，Oliver M.Weber et.al, MRM 50:1223-1228(2003)）。
このWhole Heart撮影は、心臓全域をＴＲＳ断面で３Ｄ撮影し、得られたデータを再構成した後、ボリュームレンダリング等の処理を行い、左右の冠動脈を描出する手法であり、通常、データ取得完了までに１０−２０分程度かかる。
【００１２】
そのため、Whole Heart撮影において、長い撮影時間の間に呼吸や拍動の乱れが生じると、結果画像に体動アーチファクトが生じ診断に用いることができない。この場合には、結果画像を確認することができるのは全データ取得完了後になるため、再度撮影が必要な場合には、２倍の撮影時間を要することとなる。
【００１３】
本発明の目的は、画像にアーチファクトが発生した場合に、撮影中にアーチファクトを検知し、検知した時点で自動的に再度計測を行い画像を取得することにより、データ取得時間を短縮することができる磁気共鳴イメージング装置を実現することである。
【課題を解決するための手段】
【００１４】
本発明の磁気共鳴イメージング装置は、静磁場発生手段と、傾斜磁場発生手段と、高周波磁場発生手段と、データ取得シーケンスに従って被検体からのエコー信号を検出する検出手段と、このエコー信号検出手段により検出されたエコー信号に基づき、上記被検体の画像を再構成する信号処理手段とを備える。
【００１５】
そして、上記信号処理手段は、エコー信号が検出される毎に、被検体の画像を再構成し、再構成された画像に基づいてアーチファクトが発生しているか否かを判断する。アーチファクトが発生している場合は、データ取得シーケンスを中止し、このデータ取得シーケンスの最初から再度実行する。
【００１６】
または、アーチファクトが発生している場合は、そのアーチファクトが発生したときに取得されたエコー信号を除去し、そのエコー信号について、データ取得を再度行なう。
【発明の効果】
【００１７】
本発明によれば、画像にアーチファクトが発生した場合に、自動的に再度計測を行い画像を取得することにより、アーチファクトが発生していながら、全データを取得するという無駄なデータ取得時間を排除することができ、データ取得時間を短縮することができる。
【発明を実施するための最良の形態】
【００１８】
以下、本発明の実施形態を図面を参照して説明する。
【００１９】
図１は、本発明の第１の実施形態が適用されるＭＲＩ装置の概略構成図である。
【００２０】
図１において、ＭＲＩ装置は、被検体１０１が配置される空間に静磁場を発生する磁石１０２と、上記空間に傾斜磁場を発生する傾斜磁場コイル１０３と、被検体１０１に対して高周波磁場を発生するＲＦコイル１０４と、被検体１０１が発生するＭＲ信号を検出するＲＦプローブ１０５と、信号検出部１０６と、信号処理部１０７と、表示部１０８と、傾斜磁場電源１０９と、ＲＦ送信部１１０と、制御部１１１と、ベッド１１２とを備えている。
【００２１】
傾斜磁場コイル１０３は、Ｘ、Ｙ、Ｚの３方向の傾斜磁場コイルにより構成され、傾斜磁場電源１０９からの信号に応じてそれぞれ傾斜磁場を発生する。ＲＦコイル１０４はＲＦ送信部１１０の信号に応じて高周波磁場を発生する。
【００２２】
ＲＦプローブ１０５により受信された信号は、信号検出部１０６で検出され、信号処理部１０７に供給される。そして、信号処理部１０７で信号処理され、計算により画像信号に変換される。画像信号は、表示部１０８により画像表示される。
【００２３】
傾斜磁場電源１０９と、ＲＦ送信部１１０と、信号検出部１０６は、制御部１１１により制御され、制御のタイムチャートは一般にパルスシーケンスと呼ばれている。ベッド１１２は被検体１０１が横たわるためのものである。
【００２４】
図２は、本発明の第１の実施形態における画像再構成の説明図であり、位相エンコード数が２５６の場合を示している。
【００２５】
図２において、エコーデータは、データ取得シーケンスに従って、エコーデータ２０１、２０２、２０３・・・の順に、２５６番目のエコーデータ２０４まで取得され、対応するデータ空間２１１、２１２、２１３・・・の順に、２５６番目のデータ空間２１４まで、中心（低周波数領域）から順に配置される。
【００２６】
ここで、本発明の実施形態と従来の手法との異なる点は、データ取得毎に逐次画像再構成とアーチファクトの確認処理、および、画像表示を行う点である。
【００２７】
つまり、本発明の第１の実施形態においては、初めにエコーデータ２０１が取得されたら、データ空間２１１の中心に配置され、この時点で再構成処理が行われ、データ＃１の画像２２１が取得される。
【００２８】
データ＃１の画像２２１が得られたら、続いて、データ＃２のエコーデータ２０２が取得される。エコーデータ２０２は、既に、エコーデータ２０１が中心に配置されたデータ空間２１２に、低周波数領域から順に充填されるように配置される。エコーデータ２０１、２０２が配置されたデータ空間２１２は、再構成処理され、両データによる画像２２２が取得される。
【００２９】
この時点で、アーチファクトが生じているか否かを確認するための処理２３２を行う。アーチファクトが生じているか否かの具体的な処理内容は、画像２２１と画像２２２の間で相関係数等を求め、その値が予め設定した閾値を越えた場合にアーチファクトが発生したと判断する。この判断に用いる閾値は、体液に近い物質で充填されたファントム等を用いて撮影した場合の結果により設定可能である。
【００３０】
次に、データ＃３のエコーデータ２０３が取得され、既にエコーデータ２０１、２０２が配置されたデータ空間２１３に、低周波数領域から順に充填するように配置される。エコーデータ２０１、２０２、２０３の配置されたデータ空間２１３は再構成処理され、画像２２３が取得される。
【００３１】
この時点でも画像２２２に対して行った処理２３２と同様のアーチファクトの発生有無確認処理２３３が行われる。
【００３２】
以後、データ＃２５６まで同様の手順で計測、アーチファクトの発生有無の確認が繰り返される。
【００３３】
尚、計測中、再構成処理毎に画像表示を行うことも可能である。
【００３４】
次に、本発明の第１の実施形態における画像再構成とアーチファクト確認処理の効果を従来技術の場合と比較して説明する。
【００３５】
図３は、本発明の第１の実施形態における画像再構成及びアーチファクト確認処理と、従来技術による処理を共に示す説明図であり、図３の（Ａ）が従来技術、図３の（Ｂ）が本発明の場合を示す。そして、図３に示した例は、位相エンコード数が２５６の場合に、１回目の撮影結果に不具合があり、再度撮影が必要な場合である。
【００３６】
図３において、横軸は時間を示し、上段と下段を結ぶ点線は、上段と下段の同時刻の時点を示し、図３においては、１回目のデータにおいて、アーチファクトが発生した場合を示し、再度撮影が必要な例を示している。
【００３７】
図３の（Ａ）に示す従来技術の場合には、全てのデータを取得後に画像再構成及び画像表示が行われるので、１回目の結果画像に画像劣化が生じていることが判明するのは、データ＃２５６が取得された後の時点３０１である。
【００３８】
これに対して、図３の（Ｂ）に示した本発明の第１の実施形態による磁気共鳴イメージング装置では、エコーデータ取得毎に逐次画像再構成、及びアーチファクト発生有無確認処理画像表示を行っているので、計測途中にアーチファクトが発生した時点で撮影をやり直すことが可能である。
【００３９】
図３に（Ｂ）に示した例の場合には、全データの半分（データ＃１２８まで）を取得した時点３０２において、アーチファクトが発生すると、このアーチファクトの発生が判明した時点で自動的に撮影が中止され、新たな撮影が開始される。本発明のこのような方法によって、全てのデータが取得された後に、最初からデータ取得を再開する従来技術に比較して、３０３に示す撮影時間（図３の例では、２５％に相当）が短縮できる。
【００４０】
以上のように構成された本発明の第１の実施形態によれば、撮影中にアーチファクトが発生した時点で自動的に撮影が中止され、新たな計測が行われるため、アーチファクトが発生していながら、全データを取得するという無駄なデータ取得時間を排除することができ、問題のない画質の画像を取得するまでの時間を短縮することができる。。
【００４１】
次に、本発明の第２の実施形態を図４〜図６を参照して説明する。
【００４２】
本発明の第２の実施形態は、アーチファクト発生による画質劣化を確認した時点で撮影を中止し、再度撮影を行う本発明の第１の実施形態に対して、画質劣化の原因となっているデータのみを取り直すものである。
【００４３】
例えば、心電波に同期しながら行なう撮影（心電同期撮影）では、同じ心時相で取得したデータから１つの画像を作成するため、１心周期内におけるデータ取得時間を制限する必要がある。そのため、１画像分のデータを複数の心周期に渡って行う。
【００４４】
図４は、本発明の第２の実施形態による磁気共鳴イメージング装置を３心周期で１画像を撮影する撮影法に適用する場合を示す説明図である。
【００４５】
図４の心周期４０１においては、心電波を検知すると、予め設定したディレイタイム４１１の後、撮影シーケンス４２１を実行する。撮影シーケンス４２１において、データ＃１を取得し、この取得したデータ♯１を使用して、画像を再構成し、アーチファクト発生有無の確認処理を行う。尚、撮影シーケンス４２１において、取得するエコー数は任意であるが、典型的には２０エコー程度である。
【００４６】
次の心周期４０２においても同様に、心電波を検知した場合に、ディレイタイム４１２の後、シーケンス４２２を実行し、データ＃２を取得する。シーケンス４２２で取得したデータ＃２は、データ＃１と共に再構成される。この時点で、アーチファクト発生有無の確認処理を行う。アーチファクトを確認する方法は、本発明の第１の実施形態における方法と同様である。
【００４７】
最後の心周期４０３においても同様で、データ＃３を取得後に再構成し、アーチファクト発生有無の確認処理が行われ、計測が終了する。
【００４８】
この場合に、被検者の拍動が大きく変化し、心周期が乱れると、１画像内に異なる心時相のデータが存在するため、アーチファクトが生じる。このような場合に、本発明が有効となる。
【００４９】
図５は、図４と同様の条件で、心周期が乱れてアーチファクトが発生した場合の説明図である。
【００５０】
図５において、ディレイタイム５１１、５１２、５１３は常に一定である。そして、１つ目の心周期５０１と、２つ目の心周期５０２は、同じ時間間隔であるので、撮影シーケンス５２１、５２２において取得するデータは、同じ心時相のものである。
【００５１】
しかし、心拍数が上昇し、続く心周期５０３が大幅に短縮したとすると、ディレイタイムが同じであるため、撮影シーケンス５２３で取得するデータは、撮影シーケンス５２１、５２２で取得したデータと異なる心時相のものとなる。
【００５２】
このように、異なる心時相のデータが混在した状態で画像再構成すると、画像にアーチファクト（ブラーリング）が生じる。特に、冠動脈撮影（Whole Heart撮影）のように高空間分解能（１画素≒１ｍｍ）が必要な撮影では、画質劣化が顕著となる。
【００５３】
そこで、本発明の第２の実施形態においては、図５に示した撮影シーケンス５２３のようなアーチファクトの原因となるデータを削除し、このデータを取得し直す。
【００５４】
具体的には、データ取得毎に逐次再構成（処理５３１）された画像を用いてアーチファクトが生じていないかを確認し（処理５３２）、画質が劣化していたら（アーチファクト発生確認）計測を一時停止する（処理５３４）。このとき、高周波磁場を発生させた状態で、計測動作のみ停止することとしてもよい。
【００５５】
計測を停止した状態で、データ取得する際の心拍動の閾値を自動で調整し、異なる心時相で取得したデータのみを削除する（処理５３５、５３６）。拍動閾値の調整は、アーチファクトが発生していないエコーを取得したときの心周期の最短／最長値、平均値等を基準に自動で行う。この作業により、データ空間内は５２１と５２２で取得したデータのみの状態に戻る。
【００５６】
確認のため、再度画像再構成を行い（処理５３７）、アーチファクトが消えていることが確認できたら（処理５３８、５３９）、削除したデータについて計測を再開する（処理５４０）。なお、アーチファクトの確認方法は、本発明の第１の実施形態と同じである。
【００５７】
計測再開後、処理５３５にて削除した部分に相当するデータを再び心周期５０４の撮影シーケンス５２４において取得し、画像再構成、アーチファクト発生有無確認処理を行ない、問題が無ければ計測を終了する。
【００５８】
この手法によれば、アーチファクトの原因となるデータを、選択的に取り直すことが可能となる。
【００５９】
従来技術では、撮影完了後に画像を確認していたため、もし、診断に不適切な画像であった場合、２回同じ撮影を繰り返す必要があった。特に、Whole Heart撮影のような長時間（１０−２０ｍｉｎ）の撮影では、非常に大きな無駄な時間が生じることとなる。
【００６０】
これに対して、本発明の第２の実施形態によれば、計測時にアーチファクトが生じた時点でデータの取り直しが可能であり、検査時間を短縮することができる。
【００６１】
図５に示した例の場合には、心拍動の閾値の設定を自動で行ったが、図６に示すようなUser Interface（ＵＩ）を用いて操作者が行うことも可能である。
【００６２】
図６は、第２の実施形態において、操作者が心拍動の閾値の設定をＵＩを用いて行う画面例を示す図である。
【００６３】
図６において、第２の実施形態におけるＵＩは、画像表示部分６０１と、スクロールバー６０２と、再構成実行ボタン６０６と、計測再開ボタン６０７とを備えている。
【００６４】
画像表示部分６０１には、再構成された画像のうち最後に再構成された画像が表示される。
【００６５】
スクロールバー６０２は、心拍動を示し、最大値６０３（例えば８０）と、最小値６０４（例えば６０）とを設定可能であり、操作者がこの最大値６０３と、最小値６０４とを操作することにより心泊動の設定範囲６０５が指定される。
【００６６】
心拍動の値を設定後、操作者が再構成実行ボタン６０６を押すと、既に取得済みのデータから、範囲６０５に指定された心拍動の範囲のデータのみが選択され、画像の再構成が行われ、画像表示部分６０１に表示される。操作者は、画像表示部分６０１に表示された画像を確認し、アーチファクトの除去が確認できれば、計測再開ボタン６０７を押し、計測を再開する。
【００６７】
ここで、現在の心拍数の表示を行い、最大値８０を超えたとき、その旨を表示することも可能である。
【００６８】
以上のように構成された本発明の第２の実施形態によれば、心電同期撮影による撮影法おいて、被検者の拍動が大きく変化し、心周期が乱れ、アーチファクトが発生する場合に、アーチファクトが生じたことが判明した時点で、アーチファクトの原因となるデータを自動的に削除し、再度データを測定し直すことができる。このため、従来のように全ての測定が終了してから画像の再構成を行う撮影法に比較して無駄なデータ取得時間を排除することができる。
【００６９】
なお、本発明の第２の実施形態においては、被検者の拍動周期に対して閾値を設定する心電同期撮影を例として説明したが、他にも呼吸同期撮影において、被検者の呼吸周期に対しても、本発明を適用することができる。
【００７０】
次に、本発明の第３の実施形態を図７、図８を参照して説明する。
【００７１】
本発明の第３の実施形態は、本発明の第２の実施形態に示した心電同期撮影による撮影法に、ナビゲータ呼吸ゲート法を併用するものである。
【００７２】
Whole Heart撮影のように長い撮影時間の心臓撮影では、通常、呼吸ゲーティングが併用される。
【００７３】
呼吸ゲーティング法として現在広く用いられている方法は、ナビゲーター呼吸ゲート法である。ナビゲーター呼吸ゲート法は、ナビゲーターエコーと呼ばれる付加的なエコーを用いて被検者の呼吸動（典型的には横隔膜）をモニターし、ゲートウインドウと呼ばれる範囲内に呼吸変位があるときのみデータ取得を行う手法である。
【００７４】
図７は、心電同期撮影による撮影法に、ナビゲータ呼吸ゲート法を併用する本発明の第３の実施形態の説明図である。
【００７５】
図７の各心周期７１１〜７１４において、撮影シーケンス７３１〜７３４を実行する前に、ナビゲーターシーケンス７４１〜７４４が実行され、それぞれの時点における呼吸動変位７０１〜７０４のモニターが行われる。
【００７６】
呼吸動変位７０１〜７０４は、ゲートウインドウ７５０の内外のどちらにあるかが判定され、呼吸動変位７０１、７０２、７０４のようにゲートウィンドウ７５０の内側にあれば、それに対応する画像データが取得され、呼吸動変位７０３のようにゲートウィンドウ７５０の外側にあれば、それに対応する画像データは廃棄される。
【００７７】
図８は、図７のゲートウインドウ変更点７６０において、より高精度に呼吸動アーチファクトを抑制するために、ゲートウインドウを狭くした場合の説明図である。
【００７８】
図８において、処理８８３で計測を一時停止し、続いて、ゲートウインドウ幅を図７に示すウインドウ幅７５０からウインドウ幅８７０に狭める（処理８８４）。それまでは、ゲートウインドウ内と判定されて撮影シーケンス８８２で取得されたデータ＃２は、廃棄される（処理８８５）。
【００７９】
データ＃２を廃棄した状態で、再度、画像再構成を行い（処理８８６）、表示してアーチファクトの発生有無を確認し（処理８８７）、計測を再開する（処理８８８）。
【００８０】
これまでの手法では、ゲートウインドウ幅を変更しても変更以後のデータについて反映されたが、この例による手法により、既に取得済みのデータに対しても、新たなゲートウインドウ幅を反映させることができ、より高精度の画像取得が可能となる。
【００８１】
ゲートウインドウの変更方法は、例えば、図９に示すようなＵＩを用いて行うことができる。
【００８２】
図９において、本発明の第３の実施形態におけるＵＩは、画像表示部分９０１と、スクロールバー９０３と、画像再構成ボタン９０５と、計測再開ボタン９０６とを備える。
【００８３】
画像表示部分９０１には、ナビゲーターエコーの画像、つまり被検体の呼吸動を示す画像が表示され、この画像９０１上には、ゲートウインドウ９０２が表示される。スクロールバー９０３には指定値９０４が表示され、操作者はこれを操作することにより、ゲートウインドウ９０２のウインドウ幅（例えば５ｍｍ）を変更することができる。
【００８４】
ウインドウ幅の変更後、画像再構成ボタン９０５を押すと、新たに設定したゲートウインドウ幅内に入っているデータのみで画像再構成が行われ、画像表示用の別ウインドウに表示される。表示された画像を確認後、計測再開ボタンを押すと計測が再開される。
【００８５】
尚、ゲートウインドウ９０２を変更手段として、スクロールバー９０３の代わりにマウスドラッグ等を使用してもよい。
【００８６】
以上のように構成された本発明の第３の実施形態によれば、拍動周期撮影法と呼吸ゲーティング撮影法とを併用する場合において、計測中に確認した画像から、アーチファクトが生じたことが判明した時点で、アーチファクトの原因となるデータを自動的に削除し、再度データを測定し直すことができる。
【００８７】
このため、従来のように全ての測定が終了してから画像の再構成を行う撮影法に比較して無駄なデータ取得時間を排除することができ、データ取得時間を短縮することができる。
【図面の簡単な説明】
【００８８】
【図１】本発明が適用される磁気共鳴イメージング装置の概略構成図である。
【図２】本発明の第１の実施形態における画像再構成の説明図である。
【図３】本発明の第１の実施形態における画像再構成及びアーチファクト確認処理と、従来技術による処理とを比較するための説明図である。
【図４】本発明の第２の実施形態における３心周期で１画像を撮影する撮影法の説明図である。
【図５】本発明の第２の実施形態において心周期が乱れた場合の動作説明図である。
【図６】本発明の第２の実施形態による磁気共鳴イメージング装置のＵＩの一例を示す図である。
【図７】本発明の第３の実施形態によるナビゲーター呼吸ゲート法を併用する場合の説明図である。
【図８】本発明の第３の実施形態において、より高精度に呼吸動アーチファクトを抑制するために、ゲートウインドウを狭くした場合の説明図である。
【図９】本発明の第３の実施形態による磁気共鳴イメージング装置のＵＩの一例を示す図である。
【符号の説明】
【００８９】
１０１            被検体
１０２            静磁場磁石
１０３            傾斜磁場コイル
１０４            ＲＦコイル
１０５            ＲＦプローブ
１０６            信号検出部
１０７            信号処理部
１０８            表示部
１０９            傾斜磁場電源
１１０            ＲＦ送信部
１１１            制御部
１１２            ベッド
【図１】
2007061545.tif 000003
【図２】
2007061545.tif 000004
【図３】
2007061545.tif 000005
【図４】
2007061545.tif 000006
【図５】
2007061545.tif 000007
【図６】
2007061545.tif 000008
【図７】
2007061545.tif 000009
【図８】
2007061545.tif 000010
【図９】
2007061545.tif 000011